(57)【要約】      （修正有）【課題】メガネの脱落がなくなり、好みのデザインのメガネを楽しむことができる。【解決手段】過開き止具は表面・左右の突起部２１−１は、テンプルの開きすぎを止める部位にて、高さはテンプルの外側への伸びより大きく作ります。前面中央部は背面に曲げられて、レンズの溝に取り付けられ、溝底に沿ってレンズの背面に廻り、レンズ溝の背面角２１−５で、もう一度曲げられレンズに嵌め込まれます。レンズの背面で曲げられた部位先端には過開き止具の抜け落ちを防ぐ突起２１−６を先端左右に設けました。テンプルの開きと共に前面に反り返って来ますが、テンプルのパイプが過開き止具の突起２１−２に阻まれて前面に倒れる事なく突起に沿いながら外側、横に移動し、テンプルの開きがＶ字型に達した時点でテンプルの先端と過開き止具・突起にて開きが止まります。【選択図】図７
0003139414.tif 000002
【実用新案登録請求の範囲】
【請求項１】
眼鏡フレーム過開き止具、及びカム付テンプル
前記眼鏡フレーム過開き止具は、特許第３９２４６８６号・蝶番のないメガネフレームの、テンプルの開きすぎ、を防ぐための部品にて、レンズのテンプル取付位置に設け、形状は前面上部の両端に突起部を持ち、中央上部はレンズ切り込みの底に沿って、前記レンズの背面に廻り、前記レンズの背面に沿って折り曲げ、かつ前記折り曲げ部より先端の左右両端に、突起部を持つ構造で有ります。
前記眼鏡フレーム過開き防止具の前面上部両端に突起部は、前記テンプルが開く折、前記テンプルに繋がる固定線が前方に反り返るのを押さえ、前記固定線を水平方向に誘導するものである。
カム付テンプルは前記過開き止具と一対を成すもので、
前記カム付テンプルのカムは、パイプを中心に偏芯した円形を縦割りに、ほぼ２分割した形状にて、前記カムの偏芯させた長い方を、前記テンプル先端より少し内寄りに、前記テンプルの先端に向けて設ける。
前記テンプルを半ば開いた時点で、前記カム断面と、前記過開き止具の底と接触して以降、滑りながら、テンプルを開く程、前記テンプルと固定線を外側に押し広げ・その反作用で、装用感を得るもので有る。
【請求項２】
バネ付テンプル
前記バネ付テンプルは（請求項１・カム付テンプル）の機能を持つもので有るが、カムに代わりカムの外形を少し開いた形状をなし、テンプルを半ば開いた時点に過開き具の底と接し、前記テンプルを開くと前記バネが縮み装用時の弾性を得る。
バネの弾性効果により、固定線を金属に代える事も出来る。
【請求項３】
固定線調整機能付きレンズ受け板
前記固定線調整機能付きレンズ受け板は以降（レンズ受け板と表示）先願特許３９２４６８６号のレンズ受け板に改良を加えたもので、構造・位置等は先願特許の儘であります。
改良点は前記レンズ受け板の背面に突起を設け、前記レンズ受け板の一端には固定線の始点を繋ぐ２個の孔、もう片方の一端には固定線の終点として、やや斜めに一個の孔と背面突起部に横孔と前記横孔の少し中心を外して、遮る様に縦孔（固定線止めネジ孔）を設け、前記縦孔にはネジを設けることで、レンズ仮止め後の固定線の調整を、容易になしうるものである。
【考案の詳細な説明】
【技術分野】
【０００１】  眼鏡フレーム過開き止具（図３）
本件は先に出願した、特願２００５−３８０９９２（蝶番のないメガネフレーム・平成１９年３月９日付・登録３９２４６８６号）の機能を強化するもので以降（過開き止具と記述いたします）。
出願した、蝶番のないメガネフレームは開閉時に抵抗感がなく、必要以上に開きすぎ、レンズの形状がテンプルの元部で尖った物には、不具合が生じましたので、その打開策として、本件過開き止具を考案致しました。
前記過開き具は（図１・図２の・２１群）に示す様にテンプル位置に前記テンプルを抱える様に設けられ、前記過開き具は前面左右両端に突起部を持ち、中央は前記テンプルの下をくぐりながらレンズ背面に廻り、前記レンズ背面でもう一度曲げ前記レンズに取り付けます、前記過開き具の背面には前記過開き具を固定するため左右に突起を設けて居ます。【０００２】  カム付テンプル（図５）
前記はカム付テンプルは、請求項１の過開き止具と一対をなすものにて
前記カム付テンプルは、中心を偏芯させた円を縦にほぼ２分割し、偏芯位置にパイプを設け、分割面をテンプル先端より少し内寄りに、前記カムの偏芯させた長い方を、前記テンプルの先端に向けて設ける。
前記テンプルを半ば開いた時点で、前記カムの断面と、過開き止具の底と接するように設定する、
装用時、前記テンプルを半ば開き、接触して以降は、滑りながらテンプルを開く程、抵抗を増しながら、前記テンプルと固定線を外側に押し広げ、その反作用で、装用感を得るもので有る。【０００３】  バネ付テンプル（図６）
前記バネ付テンプルは（カム式テンプル）の機能を持つもので有りますが、カムに代わって、テンプル先端より少し内寄りに固定され、前記カムの外形を少し広げた形状になっています。
このバネ付テンプルは前記テンプルを半ば開いた時点で、前記バネが過開き止具の底と接触して以降、テンプルを開く程、バネが押し込まれ、バネの反発力が強くなり、前記テンプルを閉じる様に作用して、装用感を得るもので有る。
バネに弾性作用があり、固定線を金属に代える事も出来る。【０００４】  固定線調整型レンズ受け板（図２）
前記固定線調整型レンズ受け板（図２）の（８群）は・先願（特許第３９２４６８６号）のレンズ受け板に改良を加えたもので基本形態は変わりません。
本件メガネは、固定線の弾力を利用して掛け心地を得て居る為、左右レンズの固定線の左右の締まり具合が重要になります。
前記固定線調整型レンズ受け板は、左右のレンズ組み込み後に左右の固定線の張り調整を目的に開発しました。
【背景技術】
【特許文献】
【０００５】  参考文献につきましては先に出願し、１９年３月９日付け登録３９２４６８６号）（蝶番のないメガネフレームの・機能を強化するための専用部品にて、参考文献は有りません。
【考案の開示】
【考案が解決しようとしている課題】
【０００６】  先願（蝶番のないメガネフレーム）は先例のないもので、商品として製品化を試みるうちにレンズの形状に制約を受ける事がわかりました。
つまりレンズの形がテンプル周辺で緩やかな円か角形ではテンプルを一杯に開いても充分にメガネフレームとしての機能を果たしますが、
かに目と称される、横長円形又はテンプル周辺で尖った形のレンズに対しては通常の使用状態までは良いものの、それ以上にテンプルを開くと固定線がテンプルの元部にて外れる事がわかりました。
【課題を解決するための手段】
【０００７】  今回考案した、過開き止具とカム付テンプル・固定線調整型レンズ受け板に付いて、前記蝶番のないメガネフレームは装用者の顔幅でメガネの開きを止め置けば、固定線が僅かに延びて、心地よい装用感を生み、何ら差し支えないのですが、抵抗感がないため、際限なく必要以上に開き、レンズが開き過ぎて脱落するものです．角形・緩やかな丸形は先願の儘で商品化出来ても、レンズの形が、かに目型形状の、テンプル元部の尖った形状にも耐えうる、蝶番のないメガネフレームの開発に迫られました、その結果（図１）過開き止具（２１群）、と一対を成すカム（４−２）付テンプル、及び固定線の張り具合を調整出来るレンズ止め板（図２）（８群）を考案致しました。
【０００８】  過開き止具の構造について申し述べます
過開き止具は正面（図３・２１群）の形状をしています、可塑剤等で作る場合は別として、金属にて作る場合は（図７）の（２１−１）太線の様に切り込みを入れ、（図８）左右に突起部（２１−２）を作り中央部は（２１−３）位置で曲げ、レンズの切り込みに沿ってレンズの背面に回り背面角（２１−５）位置にてコの字型（９図）に曲げ、中央の幅はレンズ切り込みの底の幅に一致させて作ります、
更にこの過開き止具、自体をレンズに固定するために中央部先端に左右に突起部（２１−６）を設けました。
【０００９】  レンズのテンプル位置の切り込み方の変更
先願（特許第３９２４６８６号・蝶番のないメガネフレーム）ではパイプ（４）幅で浅い切り込みでしたが、
過開き止具を採用に当たり前記過開き止具を埋め込む為、レンズ（図１０）の、テンプル位置に、前記過開き止具中央の幅（２１−６）と噛み合う幅と少し深めの切り込み（１８）をレンズに設けました。
【考案の効果】
【００１０】  過開き止具の効果について申し述べます、
前記過開き止具は表面・左右の突起部（２１−１）は、テンプルの開きすぎを止める部位にて、高さは（００１１）に申し述べるテンプルの外側えの伸びより大きく作ります、  前面中央部は背面に曲げられて、レンズの溝に取り付けられ、前記溝底に沿ってレンズの背面に廻り、前記レンズ溝の背面角（２１−５）で、もう一度曲げられレンズに嵌め込まれます、前記レンズの背面で曲げられた部位先端には前記過開き止具の抜け落ちを防ぐ突起（２１−６）を先端左右に設けました。
さて機能について、後述（００１１）のテンプルの開きと共に前面に反り返って来ますが、前記テンプルのパイプ（４）が前記過開き止具の突起（２１−２）に阻まれて前面に倒れる事なく突起に沿いながら外側、横に移動し、前記テンプルの開きがＶ字型に達した時点で前記テンプルの先端（１−２）と前記過開き止具・突起にて開きが止まります。
その結果、固定線の横伸びの弾性で掛け心地が得られ、尚かつ、いかなる形のレンズでも脱落の心配は皆無で有ります。
【００１１】  カム（４−１）付テンプルは過開き止具と一対を成すもので、前記テンプルの先端より少し内に入った位置に、カムの長い方（４−３）を前記テンプルの先端に向けて設けられ、前記テンプルを半ば開いた位置から、前記カムと過開き止具の底（２１−４）と接し始め滑りながら前記テンプルを押し広げ、広がった分だけ前記固定線が延びてテンプルに装用感が生まれ、前記テンプルがＶ字型に広がった位置で前記過開き止具で開きが止まるので、どの様なレンズの形でもレンズの脱落がなくなり、好みのデザインのメガネを楽しむ事が出来ます。
【００１２】  固定線調整型レンズ受け板（図２）の（８群）は・先願（特許第３９２４６８６号）のレンズ受け板に改良を加えたもので基本形態は変わりません。
本件メガネは、固定線の弾力を利用して掛け心地を得て居る為、左右レンズの固定線の張りのバランスが重要になります。
前記固定線調整型レンズ受け板は、左右のレンズ組み込み後に左右の固定線の張り調整を目的に開発しました。
前記固定線調整型レンズ受け板（以降レンズ受け板と表示）は、湾曲したレンズ受けの背面中央に突起（８−３）を設けました、前記レンズ受け板の一端（８−１）には固定線（２０）の始点を繋ぐ２個の孔を、もう一方（８−２）には斜め孔１個を少し内倒れに設け、背面の突起（８−３）に横孔（８−４）を設け、前記固定線の終点とします、
更に前記横孔を通る固定線の側面に食い込む位置に縦孔（８−５）（固定線止めネジ用）を設けネジを切りしたものを、一対作り先願、特許と同じ位置に設けました。
先ず２個の孔（８−１）に固定線（８０−１）を繋ぎ、２枚一組のレンズの一枚を、取付て固定線を張る、レンズ周囲とテンプルパイプ（４）を通過し、レンズを一巡した後、もう一端（８−２）の孔に内側から外に出て、背面突起の横穴（８−４）を通過させる、
前記固定線（２０）は斜め孔と横孔を通過する為、くの字（図６（２０−６））に屈曲される、前記固定線は少し強めに引くと、くの字、に屈曲された固定線は容易に緩む事なく締まり、レンズを仮止め固定出来る、
この状態で、もう一枚のレンズを組み込み、前記固定線を引き、先に組み込んだレンズの固定の強さとのバランスを見ながら一致させる、
もし、締め過ぎた時は、横孔と斜め孔の中間に細いドライバー等を差し込むと容易に緩める事が出来ます、そして左右の締め具合が一致した時点で、固定線止めネジ（８−５）を締めて完了する。
【図面の簡単な説明】
【００１６】
【図１】メガネフレームの背面から見た右レンズと考案箇所
【図２】ブリッジ背面右側固定線の調整の仕組み拡大図
【図３】過開き止め具に・カム付テンプルを取り付けた右側図
【図４】（図３）の断面図
【図５】カム付テンプルの拡大図
【図６】バネ付テンプルの拡大図
【図７】過開き止め具の金属板での切り出し図
【図８】過開き止め具の中央を背後に曲げた後の正面図
【図９】過開き止め具の断面図
【図１０】レンズ上の切り込みの右側図  上記の図面は右側を描いて居ますが、反転されて左側が有る事をご承知頂きたい
【００１３】  バネ付テンプルに付いて
前記バネ付テンプル（図６）は（０００９）過開き止具とカム付テンプルの組み合わせと機能上、大差は有りません。
前記バネ付テンプルは（図６）の様にカムの外形を少し開いた形状をしています、前記バネ付テンプルを半ば開いた時点から過開き具の底と接触を初め徐々にバネが縮み、前記バネ付テンプルがＶ字型に開いた位置で前記過開き止具に依り開きを止めます。
前記バネ（１−１０）には弾性が有り、固定線に金属線を採用できます。
又、テンプルに超弾性金属を使用すれば前記過開き止具との組み合わせで、カム付テンプルも不要で、新しい市場が作れるかと思います。【００１４】  丈夫さに付いて
本件メガネフレームは可塑線でレンズを固定して居るため、糸切れするのでは無いかと、心配のむきも有りますが、本件メガネフレーム過去に可塑線を使用した、種々のものに比べ、とても丈夫です、
その理由はブリッジ側では固定ボルトとレンズ凹部を前後に挟み、レンズの回転を防ぎ、固定線はレンズ周囲の溝に嵌め込まれ、前記固定線は意外と緩く弾力の範囲で使用されていて、無理が有りません。
蝶番がないので蝶番トラブルが有りません、
レンズに穴開けしないので、レンズ孔から発生する、割れ、固定ボルトの変形、パッキングの傷み、等々、様々なトラブルが有りません。
その為のメンテナンス費用が大幅カットされ、本件メガネはメンテナンスから解放されます。
新規調整時にはナイロールメガネに近く、一手間掛かりますが、穴開けフチナシ眼鏡よりは簡単で、穴開けリスクが有りません。【００１５】本案件は先願、特許登録・蝶番のないメガネフレームを補強し、完成度を高めるため、実用新案出願したものです。
【符号の説明】
【００１７】  図面符号の数字は先願特許とのからみで（２１）から多用しました。
図面は眼鏡レンズ左右の内右側を描き・左レンズは省略致しました。
（１）テンプル
（１−２）テンプル先端
（１−１０）バネ付テンプルのバネ
（４）テンプルのパイプ
（４−１）カム付テンプルのカム
（４−２）カム付テンプルのカム・低位置
（４−３）カム付テンプルのカム・高位置
（５）ブリッジ
（８）固定線張り調整付レンズ受け板（レンズ受け板）
（８−１）レンズ受け板・始点
（８−２）レンズ受け板・終点
（８−３）レンズ受け板・背面突起
（８−４）レンズ受け板・背面横孔
（８−５）レンズ受け板・固定線止めネジ
（９）レンズ固定ボルト
（１５）右レンズ
（２０）レンズ固定線
（２０−１）レンズ固定線・始点
（２０−２）レンズ固定線・終点
（２０−６）レンズ固定線の屈曲位置
（２１）眼鏡フレーム過開き防止具（過開き防止具）
（２１−１）過開き防止具・（切り込み）
（２１−２）過開き防止具・（表面突起）
（２１−３）過開き防止具・（表面曲げ位置）
（２１−４）過開き防止具・（背面曲げ位置）
（２１−５）過開き防止具・（背面突起）
【図１】
0003139414.tif 000003
【図２】
0003139414.tif 000004
【図３】
0003139414.tif 000005
【図４】
0003139414.tif 000006
【図５】
0003139414.tif 000007
【図６】
0003139414.tif 000008
【図７】
0003139414.tif 000009
【図８】
0003139414.tif 000010
【図９】
0003139414.tif 000011
【図１０】
0003139414.tif 000012
【手続補正書】
【提出日】平成19年9月14日(2007.9.14)
【手続補正１】
【補正対象書類名】実用新案登録請求の範囲
【補正対象項目名】請求項１
【補正方法】変更
【補正の内容】
【実用新案登録請求の範囲】
【請求項１】
蝶番のない眼鏡フレームの過開き止具及びカム付テンプルからなる蝶番のない眼鏡フレームの過開き止具及びカム付テンプル機構であって、
前記蝶番のない眼鏡フレームのテンプル取付位置でレンズに切り込みを設け、前記切り込みでレンズを前後に挟んで設けられ、
前記蝶番のない眼鏡フレームの過開き止具は、前面上部両端に突起部を持ち、中央は背後に折り曲げられ、レンズ切り込みの底に沿って、前記レンズの背面に廻り、更に折り曲げ、先端左右に突起を設け固定され、
前記過開き止具の中央凹部には前記カム付テンプルが嵌め込まれ、前記テンプルの先端内寄り位置にてカムの長辺を先端に向けて設け、カム軸にはパイプが設けられ、前記パイプとレンズ固定線を軸としてテンプルが開閉される、
前記カム付テンプルは半ば開いた位置にて、前記過開き具の中央底と前記カムが接し、以降の開きで前記カムの半径の増大により、前記レンズ固定線を押し広げ、その弾性で装用感を得る、前記過開き止具の前面上部両端の突起部の背面と前記パイプの外面が接して、前記レンズ固定線を水平に伸縮させる事を特徴とするカム付テンプル以上からなる、蝶番のない眼鏡フレームの過開き止機構。
【請求項２】
蝶番のない眼鏡フレームの過開き止具及びバネ付テンプルからなる蝶番のない眼鏡フレームの過開き止具及びバネ付テンプル機構であって、
前記蝶番のない眼鏡フレームのテンプル取付位置でレンズに切り込みを設け、前記切り込みでレンズを前後に挟んで設けられ、
前記蝶番のない眼鏡フレームの過開き止具は、前面上部両端に突起部を持ち、中央は背後に折り曲げられ、レンズ切り込みの底に沿って、前記レンズの背面に廻り、更に折り曲げ、先端左右に突起を設け固定され、
前記過開き止具の中央凹部には前記バネ付テンプルが嵌め込まれ、前記テンプルの先端内寄り位置にて、パイプを横に設け、前記バネ付テンプルのバネは前記蝶番のない眼鏡フレームの過開き止具の、中央凹部の底の深さより大きく開くバネを、前記パイプを覆うように、開口部を前記テンプルの先端に向けて設け、前記テンプルは固定線を軸に前記パイプにて開閉される、
バネの弾性効果により、固定線を金属に代える事も出来ることを特徴とするバネ付テンプル、以上からなる、蝶番のない眼鏡フレームの過開き止機構。
【手続補正２】
【補正対象書類名】明細書
【補正対象項目名】０００１
【補正方法】変更
【補正の内容】
【０００１】
【技術分野】
【考案の名称】  蝶番のない眼鏡フレーム・過開き止具
本件は登録３９２４６８６（記蝶番のないメガネフレームを参照願いたい）、の機能を強化する専用部品です、
（以降・過開き止具と記述いたします）、
前記蝶番のないメガネフレームは開閉時に抵抗感がなく、必要以上に開きすぎ、レンズの形状がテンプルの元部で尖った物には、不具合が生じましたので、その打開策として、本件過開き止具を考案致しました、
前記過開き具は（図１・図２の・２１から２１−７）に示す様にテンプル位置に設けられ、前記過開き具は前面左右両端に突起部を持ち、中央は曲げられてレンズ背面に廻り、前記レンズ背面でもう一度曲げ前記レンズに取り付けます、前記過開き具の背面には前記過開き具を固定するため左右に突起を（２１−７）設けて居ます。
【０００２】
カム付テンプル（図５）
前記はカム付テンプルは、請求項１の過開き止具と一対をなすものにて
前記カム付テンプルは、中心を偏芯させた円を縦にほぼ２分割し、偏芯位置にパイプを設け、分割面をテンプル先端より少し内寄りに、前記カムの偏芯させた長い方を、前記テンプルの先端に向けて設ける。
前記テンプルを半ば開いた時点で、前記カムの断面と、過開き止具の底と接するように設定する、
装用時、前記テンプルを半ば開き、接触して以降は、滑りながらテンプルを開く程、抵抗を増しながら、前記テンプルと固定線を外側に押し広げ、その反作用で、装用感を得るもので有る。
【０００３】
バネ付テンプル（図６）
前記バネ付テンプルは（カム式テンプル）の機能を持つもので有りますが、カムに代わって、テンプル先端より少し内寄りに固定され、過開き止め具の中央底と接触するバネを設けています、
このバネ付テンプルは前記テンプルを半ば開いた時点で、前記バネが前記過開き止具の底と接触して以降、テンプルを開く程、バネが押し込まれ、バネの反発力が強くなり、前記テンプルを閉じる様に作用して、装用感を得るもので有る、
バネに弾性作用がある事で、固定線を金属に代える事も出来る。
【背景技術】
【特許文献】
【０００４】
参考文献につきましては先に出願し、１９年３月９日付け登録３９２４６８６号）（蝶番のないメガネフレームの・機能を強化するための専用部品にて、参考文献は有りません。
【考案の開示】
【考案が解決しようとしている課題】
【０００５】
先願（蝶番のないメガネフレーム）は先例のないもので、商品として製品化を試みるうちにレンズの形状に制約を受ける事がわかりました。
つまりレンズの形がテンプル周辺で緩やかな円か角形ではテンプルを一杯に開いても充分にメガネフレームとしての機能を果たしますが、
かに目と称される、横長円形又はテンプル周辺で尖った形のレンズに対しては通常の使用状態までは良いものの、それ以上にテンプルを開くと固定線がテンプルの元部にて外れる事がわかりました。
【課題を解決するための手段】
【０００６】
今回考案した、蝶番のないメガネフレームの過開き止具とカム付テンプル
前記蝶番のないメガネフレームは装用者の顔幅でメガネの開きを止め置けば、固定線が僅かに延びて、心地よい装用感を生み、何ら差し支えないのですが、抵抗感がないため、際限なく必要以上に開き、テンプルが開き過ぎて不具合が生じました、
角形・緩やかな丸形は先願の儘で商品化出来ても、レンズの形が、かに目型形状の、テンプル元部の尖った形状にも耐えうる、蝶番のないメガネフレームの開発に迫られました、その結果（図１）過開き止具（符号２１から２１−７）、と一対を成すカム図４（符号４から４−３）付テンプル、を考案致しました。
【０００７】
過開き止具の構造について申し述べます
過開き止具は正面（図２・符号２１から２１−７）の形状をしています、可塑剤等で作る場合は別として、金属にて作る場合は（図６）の（２１−１）太線の様に切り込みを入れ、（図７）左右に突起部（２１−２）を作り中央部は（２１−３）位置で曲げ、レンズの切り込みに沿ってレンズの背面に回り背面の角（２１−４）位置にてコの字型（８図）に曲げ、中央の幅はレンズ切り込みの底の幅に一致させて作ります、
更にこの過開き止具、をレンズに固定するため背後中央部先端の左右に突起部（２１−７）を設けました。
【０００８】
レンズのテンプル位置の切り込み方の変更
先願（特許第３９２４６８６号・蝶番のないメガネフレーム）ではパイプ（４）幅で浅い切り込みでしたが、
過開き止具を採用に当たり前記過開き止具を埋め込む為、レンズ（図９）の、テンプル位置に、前記過開き止具中央の幅（２１−６）と噛み合う幅と少し深めの切り込み（１８）をレンズに設けました。
【０００９】
過開き止具の効果について申し述べます、
前記過開き止具は表面・左右の突起部（２１−２）は、テンプルの開きすぎを止める部位にて、高さは（００１１）に申し述べるテンプルの外側えの伸びより大きく作ります、  前面中央部は背面に曲げられて、レンズの溝に取り付けられ、前記溝底に沿ってレンズの背面に廻り、前記レンズ溝の背面の角（２１−４）で、もう一度曲げられレンズに嵌め込まれます、前記レンズの背面で曲げられた部位先端には前記過開き止具の抜け落ちを防ぐ突起（２１−７）を先端左右に設けました、
さて機能について、後述（００１１）のテンプルの開きと共に前面に反り返って来ますが、前記テンプルのパイプ（４）が前記過開き止具の突起（２１−２）の背面に阻まれて前面に倒れる事なく突起に沿いながら外側、横に移動し、前記テンプルの開きがＶ字型に達した時点で前記テンプルの先端・図４（１−２）と前記過開き止具前面及び、前記過開き止具・突起にて開きが止まります、
その結果、固定線の横伸び弾性で掛け心地が得られ、尚かつ、いかなる形のレンズでも脱落の心配は皆無で有ります。
【００１０】
カム（４−１）付テンプルは過開き止具と一対を成すもので、前記テンプルの先端より少し内寄りに、カムの長い方（４−３）を前記テンプルの先端に向けて設けられ、前記テンプルを半ば開いた位置から、前記カムと過開き止具の底（２１−５）と接し始め滑りながら前記テンプルを押し広げ、広がった分だけ前記固定線が延びてテンプルに装用感が生まれ、前記テンプルがＶ字型に広がった位置で前記過開き止具で開きが止まるので、どの様なレンズの形でもレンズの脱落がなくなり、好みのデザインのメガネを楽しむ事が出来ます。
【００１１】
バネ付テンプルに付いて
前記バネ付テンプル（図５）は（０００９）過開き止具とカム付テンプルの組み合わせと機能上、大差は有りません
前記バネ付テンプルのバネは半円形でも直線的でも差し支え有りません、
前記バネ付テンプルを半ば開いた時点から過開き具の底と接触を初め徐々にバネが縮み、前記バネ付テンプルがＶ字型に開いた位置で前記過開き止具に依り開きを止めます、
前記バネ（１−１０）には弾性が有り、固定線に金属線を採用できます、
又、テンプルに超弾性金属を使用すれば前記過開き止具との組み合わせで、カム付テンプルも不要で、新しい市場が作れるかと思います。
【００１２】
丈夫さに付いて
本件メガネフレームは可塑線でレンズを固定して居るため、糸切れするのでは無いかと、心配のむきも有りますが、本件メガネフレーム過去に可塑線を使用した、種々のものに比べ、とても丈夫です、
その理由はブリッジ側では固定ボルトとレンズ凹部を前後に挟み、レンズの回転を防ぎ、固定線はレンズ周囲の溝に嵌め込まれ、前記固定線は意外と緩く弾力の範囲で使用されていて、無理が有りません、
蝶番がないので蝶番トラブルが有りません、
レンズに穴開けしないので、レンズ孔から発生する、割れ、固定ボルトの変形、パッキングの傷み、等々、様々なトラブルが有りません、
その為のメンテナンス費用が大幅カットされ、本件メガネはメンテナンスから解放されます、
新規調整時にはナイロールメガネに近く、一手間掛かりますが、穴開けフチナシ眼鏡よりは簡単で、穴開けリスクが有りません。
【００１３】
本案件は先願、特許登録・蝶番のないメガネフレームを補強し、完成度を高めるため、実用新案出願したものです。
【図面の簡単な説明】
【００１４】
【図１】メガネフレームの背面から見た右レンズと考案箇所
【図２】過開き止め具に・カム付テンプルを取り付けた右側図
【図３】過開き止め具にテンプルを嵌め込み後の断面図
【図４】カム付テンプルの拡大図
【図５】バネ付テンプルの拡大図
【図６】過開き止め具の金属板での切り出し図
【図７】過開き止め具の中央を背後に曲げた後の正面図
【図８】過開き止め具の断面図
【図９】レンズ上の切り込みの右側図  上記の図面は右側を描いて居ますが、反転されて左側が有る事をご承知頂きたい。
【符号の説明】
【００１５】
図面は眼鏡レンズ左右の内、右側を描き、左レンズは省略致しました。
（１）テンプル
（１−２）テンプル先端
（１−１０）バネ付テンプルのバネ
（４）テンプルのパイプ
（４−１）カム付テンプルのカム
（４−２）カム付テンプルのカム・低位置
（４−３）カム付テンプルのカム・高位置
（５）ブリッジ
（９）レンズ固定ボルト
（１５）右レンズ
（２０）レンズ固定線
（２０−１）レンズ固定線・始点
（２０−２）レンズ固定線・終点
（２１）眼鏡フレーム過開き防止具（過開き防止具）
（２１−１）過開き防止具・（切り込み）
（２１−２）過開き防止具・（表面突起）
（２１−３）過開き防止具・（表面曲げ位置）
（２１−４）過開き防止具・（背面曲げ位置）
（２１−５）過開き防止具・（背面部）
（２１−６）過開き防止具・（中央底）
（２１−７）過開き防止具・（背面突起）
【手続補正３】
【補正対象書類名】図面
【補正対象項目名】全図
【補正方法】変更
【補正の内容】
【図１】
0003139414.tif 000013
【図２】
0003139414.tif 000014
【図３】
0003139414.tif 000015
【図４】
0003139414.tif 000016
【図５】
0003139414.tif 000017
【図６】
0003139414.tif 000018
【図７】
0003139414.tif 000019
【図８】
0003139414.tif 000020
【図９】
0003139414.tif 000021
【手続補正書】
【提出日】平成19年12月4日(2007.12.4)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
蝶番のない眼鏡フレームの過開き止具及びカム付テンプルからなる蝶番のない眼鏡フレームの過開き止具及びカム付テンプル機構であって、
前記蝶番のない眼鏡フレームのテンプル取付位置でレンズに切り込みを設け、前記切り込みでレンズを前後に挟んで設けられ、
前記蝶番のない眼鏡フレームの過開き止具は、前面上部両端に突起部を持ち、中央は背後に折り曲げられ、レンズ切り込みの底に沿って、前記レンズの背面に廻り、更に折り曲げ、先端左右に突起を設け固定され、
前記過開き止具の中央凹部には前記カム付テンプルが嵌め込まれ、前記テンプルの先端内寄り位置にてカムの長辺を先端に向けて設け、カム軸にはパイプが設けられ、前記パイプとレンズ固定線を軸としてテンプルが開閉される、
前記カム付テンプルは半ば開いた位置にて、前記過開き具の中央底と前記カムが接し、以降の開きで前記カムの半径の増大により、前記レンズ固定線を押し広げ、その弾性で装用感を得る、前記過開き止具の前面上部両端の突起部の背面と前記パイプの外面が接して、前記レンズ固定線を水平に伸縮させる事を特徴とするカム付テンプル以上からなる、蝶番のない眼鏡フレームの過開き止機構。
【請求項２】
蝶番のない眼鏡フレームの過開き止具及びバネ付テンプルからなる蝶番のない眼鏡フレームの過開き止具及びバネ付テンプル機構であって、
前記蝶番のない眼鏡フレームのテンプル取付位置でレンズに切り込みを設け、前記切り込みでレンズを前後に挟んで設けられ、
前記蝶番のない眼鏡フレームの過開き止具は、前面上部両端に突起部を持ち、中央は背後に折り曲げられ、レンズ切り込みの底に沿って、前記レンズの背面に廻り、更に折り曲げ、先端左右に突起を設け固定され、
前記過開き止具の中央凹部には前記バネ付テンプルが嵌め込まれ、前記テンプルの先端内寄り位置にて、パイプを横に設け、前記バネ付テンプルのバネは前記蝶番のない眼鏡フレームの過開き止具の、中央凹部の底の深さより大きく開くバネを、前記パイプを覆うように、開口部を前記テンプルの先端に向けて設け、前記テンプルは固定線を軸に前記パイプにて開閉される、
バネの弾性効果により、固定線を金属に代える事も出来ることを特徴とするバネ付テンプル、以上からなる、蝶番のない眼鏡フレームの過開き止機構。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本件は登録３９２４６８６（記蝶番のないメガネフレームを参照願いたい）、の機能を強化する専用部品です、
（以降・過開き止具と記述いたします）、
前記蝶番のないメガネフレームは開閉時に抵抗感がなく、必要以上に開きすぎ、レンズの形状がテンプルの元部で尖った物には、不具合が生じましたので、その打開策として、本件過開き止具を考案致しました、
前記過開き具は（図１・図２の・２１から２１−７）に示す様にテンプル位置に設けられ、前記過開き具は前面左右両端に突起部を持ち、中央は曲げられてレンズ背面に廻り、前記レンズ背面でもう一度曲げ前記レンズに取り付けます、前記過開き具の背面には前記過開き具を固定するため左右に突起を（２１−７）設けて居ます。【０００２】  カム付テンプル（図５）
前記はカム付テンプルは、請求項１の過開き止具と一対をなすものにて
前記カム付テンプルは、中心を偏芯させた円を縦にほぼ２分割し、偏芯位置にパイプを設け、分割面をテンプル先端より少し内寄りに、前記カムの偏芯させた長い方を、前記テンプルの先端に向けて設ける。
前記テンプルを半ば開いた時点で、前記カムの断面と、過開き止具の底と接するように設定する、
装用時、前記テンプルを半ば開き、接触して以降は、滑りながらテンプルを開く程、抵抗を増しながら、前記テンプルと固定線を外側に押し広げ、その反作用で、装用感を得るもので有る。【０００３】  バネ付テンプル（図６）
前記バネ付テンプルは（カム式テンプル）の機能を持つもので有りますが、カムに代わって、テンプル先端より少し内寄りに固定され、過開き止め具の中央底と接触するバネを設けています、
このバネ付テンプルは前記テンプルを半ば開いた時点で、前記バネが前記過開き止具の底と接触して以降、テンプルを開く程、バネが押し込まれ、バネの反発力が強くなり、前記テンプルを閉じる様に作用して、装用感を得るもので有る、
バネに弾性作用がある事で、固定線を金属に代える事も出来る。
【背景技術】
【特許文献】
【０００４】  参考文献につきましては先に出願し、１９年３月９日付け登録３９２４６８６号）（蝶番のないメガネフレームの・機能を強化するための専用部品にて、参考文献は有りません。
【考案の開示】
【考案が解決しようとしている課題】
【０００５】  先願（蝶番のないメガネフレーム）は先例のないもので、商品として製品化を試みるうちにレンズの形状に制約を受ける事がわかりました。
つまりレンズの形がテンプル周辺で緩やかな円か角形ではテンプルを一杯に開いても充分にメガネフレームとしての機能を果たしますが、
かに目と称される、横長円形又はテンプル周辺で尖った形のレンズに対しては通常の使用状態までは良いものの、それ以上にテンプルを開くと固定線がテンプルの元部にて外れる事がわかりました。
【課題を解決するための手段】
【０００６】  今回考案した、蝶番のないメガネフレームの過開き止具とカム付テンプル
前記蝶番のないメガネフレームは装用者の顔幅でメガネの開きを止め置けば、固定線が僅かに延びて、心地よい装用感を生み、何ら差し支えないのですが、抵抗感がないため、際限なく必要以上に開き、テンプルが開き過ぎて不具合が生じました、
角形・緩やかな丸形は先願の儘で商品化出来ても、レンズの形が、かに目型形状の、テンプル元部の尖った形状にも耐えうる、蝶番のないメガネフレームの開発に迫られました、その結果（図１）過開き止具（符号２１から２１−７）、と一対を成すカム図４（符号４から４−３）付テンプル、を考案致しました。
【０００７】  過開き止具の構造について申し述べます
過開き止具は正面（図２・符号２１から２１−７）の形状をしています、可塑剤等で作る場合は別として、金属にて作る場合は（図６）の（２１−１）太線の様に切り込みを入れ、（図７）左右に突起部（２１−２）を作り中央部は（２１−３）位置で曲げ、レンズの切り込みに沿ってレンズの背面に回り背面の角（２１−４）位置にてコの字型（８図）に曲げ、中央の幅はレンズ切り込みの底の幅に一致させて作ります、
更にこの過開き止具、をレンズに固定するため背後中央部先端の左右に突起部（２１−７）を設けました。
【０００８】  レンズのテンプル位置の切り込み方の変更
先願（特許第３９２４６８６号・蝶番のないメガネフレーム）ではパイプ（４）幅で浅い切り込みでしたが、
過開き止具を採用に当たり前記過開き止具を埋め込む為、レンズ（図９）の、テンプル位置に、前記過開き止具中央の幅（２１−６）と噛み合う幅と少し深めの切り込み（１８）をレンズに設けました。
【０００９】  過開き止具の効果について申し述べます、
前記過開き止具は表面・左右の突起部（２１−２）は、テンプルの開きすぎを止める部位にて、高さは（００１１）に申し述べるテンプルの外側えの伸びより大きく作ります、前面中央部は背面に曲げられて、レンズの溝に取り付けられ、前記溝底に沿ってレンズの背面に廻り、前記レンズ溝の背面の角（２１−４）で、もう一度曲げられレンズに嵌め込まれます、前記レンズの背面で曲げられた部位先端には前記過開き止具の抜け落ちを防ぐ突起（２１−７）を先端左右に設けました、
さて機能について、後述（００１１）のテンプルの開きと共に前面に反り返って来ますが、前記テンプルのパイプ（４）が前記過開き止具の突起（２１−２）の背面に阻まれて前面に倒れる事なく突起に沿いながら外側、横に移動し、前記テンプルの開きがＶ字型に達した時点で前記テンプルの先端・図４（１−２）と前記過開き止具前面及び、前記過開き止具・突起にて開きが止まります、
その結果、固定線の横伸び弾性で掛け心地が得られ、尚かつ、いかなる形のレンズでも脱落の心配は皆無で有ります。
【００１０】  カム（４−１）付テンプルは過開き止具と一対を成すもので、前記テンプルの先端より少し内寄りに、カムの長い方（４−３）を前記テンプルの先端に向けて設けられ、前記テンプルを半ば開いた位置から、前記カムと過開き止具の底（２１−５）と接し始め滑りながら前記テンプルを押し広げ、広がった分だけ前記固定線が延びてテンプルに装用感が生まれ、前記テンプルがＶ字型に広がった位置で前記過開き止具で開きが止まるので、どの様なレンズの形でもレンズの脱落がなくなり、好みのデザインのメガネを楽しむ事が出来ます。
【００１１】  バネ付テンプルに付いて
前記バネ付テンプル（図５）は（０００９）過開き止具とカム付テンプルの組み合わせと機能上、大差は有りません
前記バネ付テンプルのバネは半円形でも直線的でも差し支え有りません、
前記バネ付テンプルを半ば開いた時点から過開き具の底と接触を初め徐々にバネが縮み、前記バネ付テンプルがＶ字型に開いた位置で前記過開き止具に依り開きを止めます、
前記バネ（１−１０）には弾性が有り、固定線に金属線を採用できます、
又、テンプルに超弾性金属を使用すれば前記過開き止具との組み合わせで、カム付テンプルも不要で、新しい市場が作れるかと思います。
【００１２】  丈夫さに付いて
本件メガネフレームは可塑線でレンズを固定して居るため、糸切れするのでは無いかと、心配のむきも有りますが、本件メガネフレーム過去に可塑線を使用した、種々のものに比べ、とても丈夫です、
その理由はブリッジ側では固定ボルトとレンズ凹部を前後に挟み、レンズの回転を防ぎ、固定線はレンズ周囲の溝に嵌め込まれ、前記固定線は意外と緩く弾力の範囲で使用されていて、無理が有りません、
蝶番がないので蝶番トラブルが有りません、
レンズに穴開けしないので、レンズ孔から発生する、割れ、固定ボルトの変形、パッキングの傷み、等々、様々なトラブルが有りません、
その為のメンテナンス費用が大幅カットされ、本件メガネはメンテナンスから解放されます、
新規調整時にはナイロールメガネに近く、一手間掛かりますが、穴開けフチナシ眼鏡よりは簡単で、穴開けリスクが有りません。
【００１３】本案件は先願、特許登録・蝶番のないメガネフレームを補強し、完成度を高めるため、実用新案出願したものです。
【図面の簡単な説明】
【００１４】
【図１】メガネフレームの背面から見た右レンズと考案箇所
【図２】過開き止め具に・カム付テンプルを取り付けた右側図
【図３】過開き止め具にテンプルを嵌め込み後の断面図
【図４】カム付テンプルの拡大図
【図５】バネ付テンプルの拡大図
【図６】過開き止め具の金属板での切り出し図
【図７】過開き止め具の中央を背後に曲げた後の正面図
【図８】過開き止め具の断面図
【図９】レンズ上の切り込みの右側図  上記の図面は右側を描いて居ますが、反転されて左側が有る事をご承知頂きたい。
【符号の説明】
【００１５】図面は眼鏡レンズ左右の内、右側を描き、左レンズは省略致しました。
（１）テンプル
（１−２）テンプル先端
（１−１０）バネ付テンプルのバネ
（４）テンプルのパイプ
（４−１）カム付テンプルのカム
（４−２）カム付テンプルのカム・低位置
（４−３）カム付テンプルのカム・高位置
（５）ブリッジ
（９）レンズ固定ボルト
（１５）右レンズ
（２０）レンズ固定線
（２０−１）レンズ固定線・始点
（２０−２）レンズ固定線・終点
（２１）眼鏡フレーム過開き防止具（過開き防止具）
（２１−１）過開き防止具・（切り込み）
（２１−２）過開き防止具・（表面突起）
（２１−３）過開き防止具・（表面曲げ位置）
（２１−４）過開き防止具・（背面曲げ位置）
（２１−５）過開き防止具・（背面部）
（２１−６）過開き防止具・（中央底）
（２１−７）過開き防止具・（背面突起）
【手続補正３】
【補正対象書類名】手続補正書
【補正対象項目名】手続補正４
【補正方法】削除
【補正の内容】